(57)【要約】【課題】  軒下等に取付ける、斜めに降った雨は通さず、風は通し、必要のないときは、上に上げることのできる、洗濯物用又は荷物用の軒下等用通風雨よけ具を提供することである。    【解決手段】  細長くて薄い板状の雨よけ片11を複数個ほぼ平行に、ほぼ等間隔で上下動可能に取付け、上部に基板12と格納用の保持片16とを設け、下部に板状の重り15を設けた通風雨よけ具を作る。 雨よけ片11等を上下させるには、昇降紐14を使用する。    【選択図】  図1
2005253552.tif 000002
【特許請求の範囲】
【請求項１】
少なくとも2個の昇降紐孔(122)をあけ、内側に押すバネ(164)付きの保持片(16)を両端に設けた基板(12)の下に、
細長い、薄い板状で少なくとも2個の昇降紐孔(112)をあけた雨よけ片(11)を複数個ほぼ等間隔で、ほぼ平行に、吊紐(13)により吊下げ、
前記雨よけ片(11)の下に板状の重り(15)を前期吊紐(13)により取付け、この板状の重り(15)に少なくとも2本の昇降紐(14)を取付け、前記雨よけ片(11)にあけた昇降紐孔(112)及び前記基板(12)にあけた昇降紐孔(122)に通し、前記保持片(16)の片方に付けた輪(161)に通して下に垂らした軒下等用通風雨よけ具。
【請求項２】
雨よけ片(11)の傾斜角を調整可能にした、請求項1に記載の軒下等用通風雨よけ具。
【請求項３】
雨よけ片(11)の断面形状が円弧、波型、山谷型、変形L型、ダブルL型である、請求項1又は請求項2に記載の軒下等用通風雨よけ具。
【請求項４】
板状の雨よけ片乗せ部(71)の一端に断面形状がL字型の取付部( 72)を設け、他端にガイド(73 )を設けた接触防止具。
【請求項５】
板状の雨よけ部(61)の一端に軒下取付部(62 )を設け、他端に雨よけ具取付部(63 )を設けた取付兼接触防止具。
【請求項６】
断面形状をコの字型又はU字型に折り曲げた板状の取付部(81)の相向う片側にネジ孔(82)を設け、このネジ孔(82)に取付ネジ(83)をはめ、前記ネジ孔(82)を設けた前記取付部(81)の端に板状の固定部(84)を付け、ここに輪(85)又はフックを設けた延長固定具。
【請求項７】
U字型又はコの字型に曲げた樋引掛部（91）の片方を長くして、バネ(931)により開く力が働く逆止片(93)と紐通部(92)とを設け、
その先に挟み込み式又はねじ込み式の仮結合部(94)を設けて、補助棒(96)と仮結合し、雨よけ具装着片(９５１)付きの吊下げリング(95)を移動可能に通し、この吊下げリング(95)に引上紐(９７)を付け、この引上紐(９７)を前記、紐通し部(92)に通した樋取付具。
【発明の詳細な説明】
【技術分野】
【０００１】
本発明は、軒下等に取付ける通風雨よけ具に関する。詳しくは、軒下、マンションのベランダ、集荷場、スーパー等の前の商品置き場等々、上方に屋根等雨を遮るものがあり、側方は開放されているところに取付ける、雨の進入を防ぎ、風は通し、不要なときには上に上げておく通風雨よけ具に関する。上方に屋根等があるので、垂直に降る雨は入らないが、斜めに降る雨が入るのは防げない。上記の場所に置かれた、洗濯物、荷物、商品等を斜めに降る雨から守り、風は通し、且つ不要のときは上に上げておくことができる軒下等用通風雨よけ具及びこれに関連する接触防止具、取付兼接触防止具、延長固定具及び樋取付具に関する。
【背景技術】
【０００２】
従来、軒下等に取付け、斜めに降り込む雨を防ぎ、風を通す、通風雨よけ具はなかった。更に、不要なときには、軒下等のような上に上げておけるものもなかった。
【０００３】
従来の雨よけ具は、正面からの風は通さないものであるが、大きく分けて2つある。1つは、軒下、マンションのベランダ等に干した洗濯物用のものであり、他の１つは、集荷場等の比較的広い場所に置いた荷物用のものである。
【０００４】
１つ目の洗濯物用のものは、カーテン等シート類を洗濯物の外側を覆うものである。例えば、後記特許文献1や特許文献2、特許文献3、特許文献4等がある。
【０００５】
特許文献1のものは、図7(A)に示すように、透明シート１1aをベランダ等に干した洗濯物2の外側を、雨が降りそうなときに覆っておくものである。使用状況は、図7(C)と同様である。通風に関しては無関心である。また、透明シート１の上方から斜めの雨は降り込む/入る。
【０００６】
特許文献2のものは、図7(B)に示すように、防水素材等でできたカーテン１1bの最上部に複数のリング12aを付け、下方に横並びの通風穴11cを設け、その上に通風弁11dを取付ける。カーテン11b最下部の裾に紐状の重りを付けたものである。使い方は、洗濯物2の外側に掛けた物干し竿にリング12aを通し、普段はカーテン11bを側方に寄せて、カーテンベルトで固定しておき、降雨時又は降雨の可能性のあるときにカーテン11bを広げる。
【０００７】
通風穴11cと通風弁11dとを設けているが、この通風弁11dは、壁に当って反射した内側からの風を逃がし、カーテン11bがまくれ上がるのを防止する為のもので、外側からの風を通して、洗濯物に当てるためのものではない。外側からの風は、通風弁11dの為、内側には入れない。
【０００８】
通風については、カーテン11bの上下左右の空間から入る風を当てにしており、雨よけ具であるカーテン11b自体の通風については当てにしていない。又、カーテン11bの上方の空間からは、斜めの雨が降り込む。
【０００９】
特許文献3のものは、図7(C)に示すように、雨が降ってきたときは、雨除け部材１1eを引き出して、洗濯物2を覆うものである。構成は、物干し竿3に取付けられる止め金具  と竿受けとシート巻きとり部に巻き取ったシート状の雨除け部材１1eとからなる。側方からの通風を当てにしており、シート状の雨除け部材１1eからの通風に関しては無関心である。シート状の雨除け部材１1eの上方からは、斜めの雨が降り込む。
【００１０】
特許文献4のものは、課題に「風の流通を許容しながら、雨の降り込みを遮断するにより、上記欠点を解消した新規なアウトドア用カーテン装置を得ることを目的とする。」と通風を記載した数少ない例であるが、図7の(D)に示すように、大きな主カーテン11fの上方に、横に細長い副カーテン11gを設けたもので、風の流通はこの2つのカーテンの間(副カーテン11gの下端と主カーテン11fの上端との間に形成された通気用間隙)からするものであって、カーテン11f自体には、通風性はない。
【００１１】
2つ目の荷物用のものは、雨が降ってきたときや雨が降りそうなときに、軒先から広いシート類を下まで垂らすものである。シート類の下部は、重りをつけたり、地面に打ちつけた杭やフック等に固定したりする。シート類は、不透明なものから透明なものまでいろいろある。材質も布類からプラスチック素材のものまである。プラスチック素材には、補強材を入れたものもある。又、不要なときは、カーテン状に片方に寄せるか、左右に開く。文献は、見つけ得なかった。
【特許文献１】特開平7−265588「洗濯物の防水透明シート」公報
【特許文献２】実登3047515「ベランダ用雨除けカーテン」公報
【特許文献３】実登3054909「洗濯物の雨除け装置」公報
【特許文献４】特開平6−108756「アウトドア用カーテン装置」公報
【発明の開示】
【発明が解決しようとする課題】
【００１２】
洗濯物用の場合、シート類は、風を通さないので、洗濯物の乾きが遅い。乾燥には、風の効果が大きい。面積が広い為、風が強いときの風圧も大きく、固定を強固にしなければならない。又、風によりはためき、騒音を発する。雨が降らないときには、特許文献1及び2のものは、カーテンのように左右どちらかに寄せておくが、雨よけ具の幅は、通常、物干竿３の長さ程度であり、左右どちらかに寄せておいても、ベランダ等全体の端に寄せられるものではなく、目障りであり、ベランダ通行の際等邪魔になる。特許文献3のものは、物干竿近くに巻き上げるが、物干竿が上下に2本(内1本は太い)並ぶことになり、程度は軽いが、目障りであり、邪魔になる、等の問題点があった。
【００１３】
荷物用の場合、シート類は、風を通さないので、夏場は中が暑くなる。面積が広いので、風圧が大きく取付けを強固にしなければならない。風によりはためき、騒音を発する、等の問題点があった。
【００１４】
最近の家屋は、軒の短い家が多い。共働きやパートが増え、核家族化も進んで、昼間留守の家庭が多くなった。昔のように、雨が降り出せば、洗濯物を入れるという時代ではない。予想に反して、雨になり、軒下に干した洗濯物が斜めの雨に濡れているのをよく見かける。又、雨はまっすぐに降っていても、軒が短い為、洗濯物の外側部分が雨に濡れているのもよく見る。雨が予想されるときには、予防の為に用意しておける、本発明のような通風雨よけ具は、必需品ともいえるのではないかと考えられる。
【００１５】
従来技術に共通していえるのは、雨を遮ることだけを考え、風を通すことを考えたものは、ほとんどなかったということである。従来技術は、風はカーテンの横方向から入るものを考えていたようであるが、風が正面から通らない弊害は大きい。乾燥が遅くなるほかに、シート類にかかる風圧が大きくなる。
【００１６】
不要で使用しないときには邪魔にならず、目障りにならないものがよい。ベランダ等は、結構狭い。カーテン様のものが束ねられて、ぶら下っていると邪魔になる。又、１戸建の家の場合2階のベランダに洗濯物を干しているのが多い。窓からは外の景色を眺めることも重要なことである。片方に寄せてあっても、カーテン様のものがぶら下っていると眺望の邪魔になる。
【００１７】
又、本発明の構成は、結果的には窓用のブラインドのそれと極めてよく似ている。ブラインドは古くから知られており(少なくとも1960年には使用されていた。)、その目的(課題)は、光を遮り、風を通すことである。本発明の軒下等用通風雨よけ具(以下、単に雨よけ具と略称する。)の主要課題は、雨を遮り、風を通すことである。
【００１８】
ブラインドは、古くから知られていたのに、その構成を雨よけ具に応用しようとする者が今までいなかったのは、上記のように、雨を遮ることだけを考え、風を正面から入れることはほとんど考えなかったからではないかと考えられる。又、これだけ長い年月の間ブラインドの構成から雨よけ具を考え付いた者がいなかったということは、いわゆる「コロンブスの卵」と同じで、それだけ、ブラインドから「雨よけ具」を考え付くのは、容易ではなかったという証拠ではないかと考えられる。ブラインドの課題と本発明の課題とは異なる。本発明が解決しようとする主要課題は、下記のように、雨は通さず、風は通すものであり、ブラインドの課題や従来の技術の課題とは全く異なる。特許文献４のものもカーテン自体の通風性は認識していなかった。
【００１９】
又、ブラインドと本発明とは課題が異なる為、一見同じように見える構成も細部を見ると、その構成に違いがある。即ち、ブラインドのブレード(光遮断の薄板)は、断面形状が円弧状であるが、その向き(方向)は山が上向き(上に凸状)である。その理由は、ゴミがたまりにくくする為である。下向きにすると、谷部にゴミがたまる。ブラインドは、室内で使用するものであり、汚れが目立つ。又、掃除のしにくいものである。本発明の雨よけ具には、後記実施例３の中に雨よけ片11の断面形状が円弧状のものがあるが、その向きは(やや傾斜しているが、)山が下向き(下に凸)である。雨滴が風に押されても、雨よけ片11を越えにくくする為である。屋外使用で、ゴミは風で飛ばされ易い。ゴミがたまっても洗濯物に当らないようにしているので、差し支えない。
【００２０】
更に、ブラインドの場合、ブレードの傾斜角度を調整できる機能は、必須のものである。朝日、夕日は水平に近い。朝日はまだよいが、少し昇ると、まぶしいので、ブレードを縦にして遮る。そのままにしておくと、自然光が入らず室内が暗いので、ブレードの角度を太陽の位置に合わせて調整している。ブレードを横にすると、斜めの日光は遮り、窓の外はよく見えるということもできる。そのほか夜は、外部からのぞかれないように、ブレードを縦にしている。このように、ブレードの角度調整は、頻繁に行っており、角度調整機能は、ブラインドの命ともいえる中心的機能といえる。
【００２１】
一方、本発明の雨よけ具の場合、ブレードに相当する雨よけ片１１の傾斜角度調整機能は、なくてもよい。雨よけ片11を細長い平板状にし、間隔を雨よけ片11の幅と同じにした場合、雨よけ片11を水平にすると、理論的には４５度の雨まで進入を防止できることになる。雨よけ片11を外側を少し下にして、固定したままにしておけば、大抵の雨は防げることになる。このように、傾斜角度調整機能は、必須のものではない。傾斜角度調整機能は、更に使い易くなるという追加的機能である。
【００２２】
最近の家屋には、軒が短いものが多いことや物干竿にパラソルハンガー(フックの下に長い吊棒があり、その下にハブを付け、このハブに多数の折畳式の物干バーを付けた物干具)を掛けることもあり、洗濯物の先端が軒先よりも外に出る場合が多い。汚れ防止のため、洗濯物の先端よりも外側に、雨よけ具を離す接触防止具が必要になる場合がある。このような接触防止具を提供することも課題の１つである。
【００２３】
同様に洗濯物の汚れ防止のため、洗濯物よりも外側に雨よけ具を吊下げる為の取付兼接触防止具を提供することも課題の１つである。
【００２４】
ベランダが狭い場合があり、雨よけ具を洗濯物よりも外側に出すようにすると、雨よけ具の下端が手すりの外側に出ることがある。板状の重りにつけた固定片の固定先に困るので、手すりに取付けて固定片と結合するための延長固定具が必要になる。このような延長固定具を提供することも課題の１つである。
【００２５】
軒先のなるべく外側に雨よけ具を取付けようとした場合、一番外側にある、樋(雨樋)に取付けるのがよい。樋取付金具に雨よけ具を簡単に取付けできる樋取付具を提供することも課題の１つである。
【００２６】
本発明が解決しようとする課題は、これらの問題点を解決し、斜めに降った雨は通さず、風は通し、必要のないときは上に上げて格納することのできる、洗濯物又は荷物用の軒下等用通風雨よけ具を提供することである。又、軒下等用通風雨よけ具を洗濯物から離すための接触防止具を提供することである。又、軒下等用通風雨よけ具を洗濯物から離して取付ける取付兼接触防止具を提供することである。又、軒下等用通風雨よけ具の固定片をベランダの手すりに取付ける為の延長固定具を提供することである。又、樋取付金具に軒下等用通風雨よけ具を簡単に取付けできる樋取付具を提供することである。
【課題を解決するための手段】
【００２７】
本発明は、複数の雨よけ片11を縦に平行に置き、斜めに降り込む雨5を防ぎ、風は通すものである。
請求項1に係る軒下等用通風雨よけ具は、細長くて薄い板状の雨よけ片11を複数個ほぼ平行に、ほぼ等間隔で上下動可能に取付け、上部に基板12と格納用の保持片16とを設け、下部に板状の重り15(以下、単に重り15と略称する。)を設けたものである。軒下等用としたのは、軒下に干した洗濯物や下屋の下に置いた荷物、商品等のために用いるからである。
【００２８】
ほぼ平行というのは、厳密に平行でなくても多少平行度がずれてもよいということである。ほぼ等間隔というのは、厳密に等間隔でなくても多少バラツキがあってもよいということである。間隔は、雨よけ片11の幅位でよい。通常は、雨よけ片11の幅以下の間隔にする。雨よけ片11の幅以下の間隔にして、雨よけ片11を垂直方向にすると、真横の横雨でも通過しない。通常、真横の雨は降らないし、そのような強風が吹くときには、洗濯物は干さないので、そこまで厳密にしなくてもよい。間隔が広めでも、雨よけ片11を斜めにしておけば、大抵の雨は防げる。水平でも通常はよい。傾斜角度は、水平に近い方が風はよく通る。雨よけ片11の枚数は、雨よけ片11の幅と雨よけ具1の長さ(上下の)により決まる。複数というのは、従って2枚や３枚ではない。多数としたのではあいまいになるので、複数にしたまでで、上記のように雨よけ片11の幅と雨よけ具１の上下の長さとで決まる。雨よけ片1１の厚さは、材料の腰の強さ、強度等による。薄い方がコスト面では有利である。透明性のよいものは、日光をよく通し、乾燥に好都合である。目隠し効果の為には、表面に凹凸等の乱光性(光を散乱させてぼかす)を付与してもよい。近年、女性の下着等の洗濯物を人目にさらしたくないという要望もある。デザイン、目隠し等のため、着色してもよい。
【００２９】
基板12は、軒下等に取付けたり、雨よけ片11や重り15等を吊下げる為の基盤となるものである。保持片16は、雨よけ片11や重り15等を上に吊上げたとき、自動的に開いて、重り15を保持するものである。雨よけ片11や重り15等を上に上げ、保持することを格納という。逆に格納した雨よけ片11や重り15等を下に下げることを展開という。重り15は、展開するときに、保持片16を開くと下がる為の重りや展開した雨よけ具1が風に吹かれて湾曲し、洗濯物2に接触するのを防止するための重りである。
【００３０】
使用材料は、雨よけ片11は、金属でもプラスチックでもよいが、日光に曝露するものであるから耐候性のよいものがよい。金属は、加工性、コスト等の面から鉄、アルミニウム等がよい。塗料も耐候性のよいものを選ぶ。プラスチックは、波板によく使われている塩ビやポリカーボネートがよいが、他のものでもよい。将来、適したものが開発されれば、それらを使用してもよい。基板12等は、雨よけ片11に準ずる。紐類は、柔軟性、強度、耐久性、耐候性等が必要で、鋼やステンレスの細いワイヤー、プラスチックの線、天然・合成繊維の紐等がよいが、他のものでもよい。将来、適したものが開発されれば、それらを使用してもよい。
【００３１】
請求項2に係る雨よけ具は、請求項１に記載の雨よけ具１の雨よけ片11の傾斜角度を調整できるようにしたものである。傾斜角度調整は、基板12にあけた調整紐孔121に傾斜調整紐18を通し、この紐を動かすことにより行う。傾斜調整紐18は、吊紐13で吊った１番上の雨よけ片11の吊紐13との結合部に結ぶ。調整紐孔121は、傾斜調整紐18に強い力を掛けると動く程度の大きさとし、通常は固定された状態である。調整紐孔121は、内側にあけてもよいし、外側にあけてもよい。内側は、洗濯物２に近い方をいい、外側は、遠い方をいう。内側、外側の両方にあけてもよい。傾斜調整紐18には、必要箇所にコブ181を作り、調整紐孔121を通れないようにする。傾斜調整紐18の固定方法は、他の方法でもよい。一番上の雨よけ片11の角度を変えれば、次から下の雨よけ片11は全部吊紐13により吊られているので、同じ角度に変わる。
【００３２】
請求項3に係る雨よけ具は、請求項1又は請求項2に記載の雨よけ具の雨よけ片11の断面形状が円弧、波型、山谷型、変形L型、ダブルL型のものである。波型は図３の(P)、(Q)に示すように凹凸が滑らかに上下するもの、山谷型は図3の(J)(L)に示すように上下の頂点がとがっていて途中が平らなもの、変形L型は図３の(A)(B)に示すようにLの縦部分を長くしてもので角は直角に限らない。ダブルL型は図３の(F)、(G)に示すように変形L型の長い縦部分を重ねたもので、両端を互いに反対方向に折曲げたもので、角は直角に限らない。
【００３３】
請求項4に係る接触防止具は、板状の雨よけ片乗せ部71の一端に断面L字型の取付部72を設け、他端にガイド7３を設けたものである。雨よけ片乗せ部71は、湾曲したものでもよいし、途中まで平板状で、その先を平板状で折り曲げたものでも、湾曲させたものでもよい。取付部72の断面形状をL字型にするのは、雨よけ具１を軒下等に取付け、展開した際に雨よけ片11が乗る空間を確保するためである。ガイド7３は、雨よけ片11等を格納するときに、雨よけ片11等が引っ掛かるのを防止するためのもので、先端を内側に曲げる。幅は、図のように、狭くてよく、適宜でよい。使用本数は、雨よけ片1１の長さと曲げ強さとによる。最低2本でよい。雨よけ片乗せ部71の表面は、滑らかな方が雨よけ片1１等が滑りやすくてよい。
【００３４】
請求項5に係る取付兼接触防止具は、板状の雨よけ部61の一端に軒下取付部62を設け、他端の下側に雨よけ具取付部63を設けたものである。雨よけ部61は、湾曲したものでもよいし、途中まで平板状で、その先を折り曲げたものでも、湾曲させたものでもよい。幅(物干竿３に平行)は、雨よけ具１の長さ分が必要である。雨よけ部61は、雨よけ具１の重量を支える強度が必要なので、雨よけ部61の周辺部に枠を付けて補強してもよい。雨よけ部61は、透明にすると日光がよく通ってよい。
【００３５】
請求項6に係る延長固定具は、手すり89に取付けるもので、断面形状をコの字型又はU字型に折り曲げた板状の取付部８１の相向う片側にネジ孔８２を設け、このネジ孔８２に取付ネジ８３をはめ、前記ネジ孔８２を設けた前記取付部81の端に板状の固定部84を付け、この固定部84に輪85又はフックを設けたものである。固定部84の長さは、適宜変えてよい。長めにしておいて、輪85又はフックは複数個付けてもよい。
【００３６】
請求項7に係る樋取付具は、樋金具42に雨よけ具1を取付ける為のもので、U字型又はコの字型に曲げた樋引掛部91の片方を長くし、バネ931で押された逆止片93と紐通部92とを設ける。この先に挟み込み式又はねじ込み式の仮結合部94を設け、補助棒96と仮結合する。この補助棒96に吊下げリング95を移動可能に通し、この吊下げリング95に雨よけ具装着片951を付ける。この吊下げリング95に引上紐97を付け、前記紐通部92に通す。逆止片93は、下から上には通すが、上から下には通さないもので、バネ931により軽く外に押している、紐通部92は、輪状の他U字型や(D)のように上部が狭くなったものでもよい。仮結合部94の挟み込み式は、オス型とメス型とがかみ合ったもので、雨よけ具等の重量や軽く引く位には、十分耐え、強く引くと抜けるものである。それで、仮結合とした。ねじ込み式は、取付後補助棒96をネジがゆるむ方向に回せば外れる。使い方は、樋金具42に樋引掛部91を掛け、雨よけ具1に雨よけ具装着片951を付け、引上紐97を下に最後まで引っ張る。雨よけ具装着片951が付いた吊下げリング95が上に引き上げられ、最上の逆止片93の上で止まる。軒４に付けられた樋金具42の間隔に合わせて、2本の樋取付具を雨よけ具1に装着する。装着位置は、重量のバランスを考える。引上紐97は、左右のバランスを取りながら少しずつ引き上げる。補助棒96に逆止片93を数個付けたのはそのためである。樋金具に取付後、補助棒96を外せば終了する。
【発明の効果】
【００３７】
請求項１の発明は、斜めに降り込む雨を通さず、洗濯物2を雨から守り、風は通して、洗濯物2の乾燥は阻害せず、必要ないときは、格納しておけるという効果がある。
【００３８】
請求項2の発明は、請求項１の発明の効果の他に、雨よけ片1１の傾斜角度が調整できるので、風の強さ即ち、雨の降り込む角度に応じて、角度を調整し、雨の進入を防ぎながら、風の通りを調整できるという効果がある。
【００３９】
請求項3の発明は、雨よけ片1１が円弧、波型、山谷型、変形L型又は、ダブルL型であるので、雨よけ片1１の表面に付いた雨滴が風に吹き寄せられても山の高くなった所には上がりにくく、雨が通過しにくい。積重ねると、互いにかみ合うので、全体の厚さは厚くならない。又、雨よけ片11の見掛けの厚さが大きくなり、曲げ強度が向上する。同じ強度なら、雨よけ片11の厚さを薄くでき、コストダウンできる、という効果がある。
【００４０】
請求項4の発明は、軒先が短くても、これを用いることにより、雨よけ具が洗濯物に接触することを防止できる。雨よけ片乗せ部71が長いものは、軒先の長短を取付位置により調整できるという効果がある。又、上方からの雨の進入も防止できる。物干竿３には、ハンガーやパラソルハンガー等を掛けることがあるので、物干竿３と雨よけ具１との間隔は、余裕を見る必要がある。
【００４１】
請求項5の発明は、軒先が短くても、これを用いることにより、雨よけ具が洗濯物に接触することを防止できる。雨よけ部61が長いものは、軒先の長短を取付位置により調整できるという効果がある。上方からの雨の進入も防止できる。透明のものは、日光をよく通すので、乾燥が速い。
【００４２】
請求項6の発明の延長固定具は、手すり89の外側に固定部84が付くので、洗濯物2の外側よりも更に外側に雨よけ具１を吊下げたときにも固定部(フック等)17が使えるという効果がある。
【００４３】
請求項7の発明の樋取付具は、軒4の最先端である樋金具42に、雨よけ具１を簡単に取付けることができるという効果がある。
【発明を実施するための最良の形態】
【００４４】
複数個の雨よけ片１１をほぼ等間隔に上下に並べて、斜めに降る雨を防ぎ、風を通すようにした。
【実施例１】
【００４５】
実施例１を図1に基づいて説明する。図1の(A)は実施例１の雨よけ具1の使用状態を示す斜視図、(B)は同じく左側面図、(C)は雨よけ具1を展開した状態の左側面図、(D)は同じく格納した状態を示す左側面図、(E)は雨よけ片11と吊紐13・昇降紐14との関係を示す部分斜視図、 (F)は雨よけ具1を展開した状態の正面図、(G)は同じく格納した状態を示す正面図である。
【００４６】
(A)、(B)に示すように、軒下に干した洗濯物2の外側に雨よけ具1を吊下げて使用する。
【００４７】
(C)に示すように、基板12の下に、複数個の同じ大きさの細長く薄い、平板状の雨よけ片11をほぼ平行に、ほぼ等間隔で、吊紐13によりつなぐ。雨よけ片11の間隔は、雨よけ片11の幅以下にする。雨よけ片11は、少し傾斜をつけ、外側を下にする。雨よけ片11の下には吊紐13により重り15を付ける。なお、(B)に示すように、洗濯物2は、軒下に掛けた物干竿3に掛ける。
【００４８】
(D)に示すように、格納した状態では、雨よけ片11は互いについて雨よけ具１は薄くなる。(E)に示すように、雨よけ片11の両脇にあけた吊紐孔111に吊紐13をそれぞれ通して結び、固定する。固定方法は、結ぶ他に、接着、熱融着、クリップ等でもよい。中央部にあけた細長い昇降紐孔112に昇降紐14を自由に動ける状態で通す。
【００４９】
(F)図に示すように、重り15には昇降紐14を付け、雨よけ片11にあけた昇降紐孔112に通し、更に基板12にあけた昇降紐孔に通した後、保持片16に付けた輪161に通して下に垂らす。基板12と保持片16とは、ヒンジ状につながっており、内側にバネ162を付ける。バネ162は、外側でもよいし、基板12と保持片16との結合を密にして、材料の弾性を利用してもよい。昇降紐14を下に引くと、重り15は引き上げられ、雨よけ片11も引き上げられる。重り15が保持片16に当ると、保持片16は外側に開き、重り15が中に入るとバネ162により保持片16は元に戻り、雨よけ片11・重り15は保持される。このようにして、雨よけ片11・重り15が上に上がり、格納されると、図(G)のようになる。(G)の垂れ下がった昇降紐14は、物干竿３等に掛けてもよい。格納状態から雨よけ片11等を展開するときは、引張紐14を外側に引くと、輪161が引かれ、保持片16が開くので、雨よけ片11等は降下し、展開する。雨よけ片1１の厚さは、薄くてよい。なお、保持機構の詳細は、実施例2で説明する。
【００５０】
使い方は、軒4の端部に基板12を取付け、雨のときや雨が降りそうなときに雨よけ具1を展開する。雨が降らないときや洗濯物2がないときは、雨よけ片11等を格納しておく。
【００５１】
風がなく、雨5が垂直に降るときは、屋根があるので、洗濯物2は濡れないが、風があり雨5が斜めに降るときは、軒下に雨5が入り込むので、雨よけ具1が必要になる。展開状態にすると、斜めに降り込んだ雨５は、雨よけ片11に当たり、そこから落下するので、雨5は通過しない。雨よけ片11は、通常、図面に示すように、外側が下になるように傾斜をつけている。外側が上になるように傾斜をつけると、雨5が通過するので、少なくとも水平にする。傾斜が急なほど、雨が通過しにくくなる。風は、雨よけ片１１の間を通過する。傾斜がゆるい(水平に近づく)ほど、風は通過しやすくなる。重り15があるので、風により雨よけ具1が吹き寄せられて、洗濯物2に当って汚すことはない。風が通過するので、雨よけ片11にかかる力は強くない。重り15は、風による変形を防止するだけでなく、格納時に雨よけ片11を支え、格納した雨よけ片11を展開するときにも必要である。
【００５２】
雨よけ具1は、斜めに降る雨5を通過させず、風は通過させるので、急に降った雨5により、洗濯物2を濡らす心配がなくなり、洗濯物はよく乾く。雨が降りそうなときにも安心して外出できる。不要なときには、上に上げて格納しておけば、邪魔にならない。展開したり、格納したりする操作も昇降紐14を引っ張るだけで簡単である。風を通すので、風により湾曲状に変形して、洗濯物2に当って汚すこともない。風を通すので、重り15により変形を防止できる。風を通すので、はためいて騒音を発することもない。雨よけ片11が透明なものは、日光をよく通し(日の当るときにも目隠しの為、展開してもよい。)、乾燥の邪魔をしない。ぼかし、濁りを入れたり、着色、不透明にしたりしたものは、見る者の角度にもより完全ではないが、目隠しの働きをするという効果がある。
【実施例２】
【００５３】
実施例2の雨よけ具を図2に基づいて説明する。実施例2の雨よけ具1は、実施例１のものの雨よけ片11の断面形状を、山・谷が１個ずつの波形に変え、雨よけ片11の傾斜角度を調整できるようにしたものである。図2の(A)は雨よけ具１の左側面図、(B)は雨よけ片11の保持機構及び傾斜角度の調整機構を示す要部左側面図、(C)は雨よけ具１の格納状態を示す左側面図、(D)は雨よけ片11の平面図、(E)は雨よけ具１の展開状態を示す正面図である。
【００５４】
雨よけ片11の保持機構は、(B)に示すように、縦2本の吊紐13の間に横2本の平行な保持紐131を設け、この2本の保持紐131の間に雨よけ片11を入れて保持する。(D)に示すように、雨よけ片11には2個の昇降紐孔112があり、この中に昇降紐14を通すので、雨よけ片11は長手方向にずれることはない。保持紐131は、雨よけ片の数に合わせて作る。雨よけ片11の傾斜角の調整は、基板１２に設けた調整紐孔121に傾斜調整紐１8を通し、この紐を動かすことにより行う。基板12の調整紐孔121は、傾斜調整紐１8に強い力を掛けると動く程度の大きさとし、通常は固定された状態である。調整紐孔１21は、基板１２の内側寄りに設ける。傾斜調整紐１8には、コブ１81を設けているので、傾斜調整紐１8は、コブ１81以上には進めない。従って、雨よけ片１１は、水平と内側が上がった斜めの状態との間の傾斜となる。
【００５５】
(E)に示すように、重り15の下には、床面等と固定するための固定片であるフック17を設ける。フック17は、床面等に設けた輪に掛けて固定する。フック17には紐を付ける。洗濯物2は、通常、床面近くまではないので、雨よけ具1の下端も洗濯物2の下端付近でよい。従って、重り15と床面との間隔が大きいので、紐を付けるとよい。紐は、長さを調整して使用する。板に2個の孔をあけたような簡単な長さ調整具を使用してもよい。重り15だけよりも強固に固定される。なお、保持片16は、基板12と一体になっており、バネは付けずに保持片16の材料の弾性を利用している。
【００５６】
展開するときは、昇降紐14を左側に引っ張ると、輪161が引かれ、保持片16が動き、更に、連動紐164により反転側の保持片16も右側に引かれて、保持片16が開き、重り15等が降下する。右側の保持片16には、引張棒163が付けられており、その先端に連動紐164が結合され、輪161につながっているので、保持片16は回転運動を起こし、開く。なお、連動紐164は、図面では基板12の上を通っているが、側面部を通してもよい。上を通すときは、溝を設ける。
【００５７】
使い方は、実施例１のものと同じであるが、フック17が付いているので、強い風が予想されるときにフック17を使用する。傾斜調整紐１8により、風の強さに応じて、雨よけ片11の傾斜角度を調整する。
【００５８】
実施例2の雨よけ具は、雨よけ片11の断面形状が波型になっているので、実施例１のものの効果の他に、雨よけ片11の曲げ強度が強い。同じ強度なら、厚みを薄くでき、コストダウンになる。又、雨よけ片11の端が巻き上がっている(側面形状)ので、雨滴が風に押されても、雨滴が越えにくく、雨が通過しにくい。雨よけ片11の傾斜角度を調整できるので、風の強さ即ち雨の角度に応じて、角度を調整して対応できる。波型で見かけの厚みが厚いので、雨よけ片11の平行方向から見た場合の間隔が小さくなり、目隠し効果が少し向上する、という効果がある。
【実施例３】
【００５９】
実施例3の雨よけ具を図3に基づいて説明する。実施例3の雨よけ具1は、実施例2のものの雨よけ片11の断面形状、傾斜角の調整機構、フック17の個数及び保持片16の連動機構を一部変えたものである。  図3の(A)は雨よけ片11の傾斜角調整機構を示す左側面図、(B)は格納状態を示す一部省略左側面図、(C)は傾斜角調整機構の他の例を示す要部左側面図、(D)は格納状態を示す正面図、(E)は別の重り15の形状を示す正面図、(F)、(H)、(I)、(L)、(N)、(P)は雨よけ片11の断面形状を示す左側面図、(G)、(I)、(K)、(M)、(O)、(Q)はそれぞれの格納状態を示す一部省略左側面図である。
【００６０】
(A)、(B)の雨よけ片11は、断面形状が縦を長くした変形L字型で、短辺を内側にし、山を下向きにして、保持紐131の間に入れる。短辺が壁になって、雨滴は風に押されても越えにくい。格納したときは、(B)のように互いについて薄くなる。傾斜角調整機構は、実施例2のものと違い、調整紐孔121を外側に設けたものである。調整紐孔121に、傾斜調整紐18を通し、傾斜調整紐18にコブ181を付けることは実施例2と同じである。使い方も実施例2のものと同じである。(C)の傾斜角調整機構は、(A)のものとは別のもので、基板12に2本の調整紐孔121をあけ、傾斜調整紐18を通す。傾斜調整紐18には基板12の下側にコブ181を2個付ける。傾斜角調整は、下から傾斜調整紐18を引っ張って操作する。コブ181の為、傾斜角は、水平から内側が上の斜めまでとなる。
【００６１】
(D)に示すように、重り15の正面形状は、両端が斜めの台形になっている。保持片16は、先端を直角に曲げただけの細長いL字型である。重り15が引き上げられると、斜めの部分に当った保持片16は、左右に開き、重り15が中に入ると弾性で閉まり、格納される。実施例３では、保持片16の弾性を利用しているが、実施例1のようにバネを使用してもよい。保持片16の連動機構は、基板12の延長のように支点棒165を取付け、その先端に連動紐164を掛ける。輪161を引くと、連動紐164が支点棒165の先端を介して右側の保持片16を引くので開く。重り15の下面に固定具である2個のループ17を付ける。
【００６２】
ループ１７は、更に中央に１個追加し、３個としてもよい。弱風のときは、中央の１個を使用し、強風のときは、両端の２個を使用してもよい。無風のときは、ループ１７を３個とも使用しなくてもよい。
【００６３】
展開するときは、実施例2と同様である。なお、格納・展開機構は、実施例1~３のものの他に、窓用ブラインドに使用されているように、昇降紐を保持・解放する機構でもよい。要は、簡単に格納・展開できればよい。
【００６４】
(F)の雨よけ片11は、(B)のもの反対側にも反対方向の曲げ部分を設けたものである。曲げ強度が更に向上する。積み重ねは、可能で、格納時には、(G)のように薄くなる。(H)の雨よけ片11は、断面形状が直線状で山が１個のもの(薄いV字型)で、山を下に向けたものである。(A)のものよりも雨滴越え防止効果がやや弱い。格納時には、(I)のように薄くなる。  (J)の雨よけ片11は、断面形状が薄いW型のもので、雨滴越え防止効果は、(H)よりもややよい。格納時には、(K)のように薄くなる。(L)の雨よけ片11は、(J)のものに折り曲げ部が１個増えたもので、効果はややよくなる。格納時には、(M)のように薄くなる。(N)の雨よけ片11は、断面形状が円弧状のもので山を下向きにはめる。雨滴は越えにくく、曲げ強度も強い。窓用のブラインドは、これとは向きが逆で山を上に向けている。(O)のように格納時には、薄くなる。(P)の雨よけ片11は、断面形状が波型のものである。実施例2ものの波型に更に山谷が増えたもので、曲げ強度が向上する。広幅の雨よけ片11にするときに好都合である。(Q)のように、格納時には、薄くなる。    
【００６５】
使い方は、実施例2のものと同じである。
【００６６】
効果も実施例2のものと大差ない。ループ17が2個付いているので、安定性が更に向上する。山谷が多いものは、広幅の雨よけ片11にしたときに適する。雨よけ片11を広幅にすると、雨よけ片11の数を少なくできる効果がある。
【実施例４】
【００６７】
実施例4は、軒先が狭い場合に使用する取付兼接触防止具6及び接触防止具7に関する。実施例4の雨よけ具に関連する取付兼接触防止具6や接触防止具7を図4に基づいて説明する。軒先が狭い場合は勿論、軒先がかなり広くても、物干竿３にハンガーやパラソルハンガーを掛けて洗濯物を干すことがあるので、雨よけ具１が当って汚さないようにする為、雨よけ具１を軒先よりも更に外方向に出す必要がある場合がある。このような場合に使用するものである。
【００６８】
図4の(A)は取付兼接触防止具6の使用状況を示す左側面図、(C)は(A)の取付兼接触防止具6を示す斜視図、(B)は取付兼接触防止具6の他の例を示す左側面図、(D)は(B)の取付兼接触防止具6を示す斜視図、(E)は接触防止具7及び延長固定具8の使用状態を示す左側面図、(G)は(E)の接触防止具7を示す斜視図、(F)は接触防止具7 の他の使用例を示す左側面図、(H)は(F)の接触防止具7を示す斜視図、(I)は延長固定具を示す斜視図、(J)は当て具を示す斜視図である。
【００６９】
(A)に示すように、マンションのベランダの天井４に取付兼接触防止具6を取付け、その先端部下側に雨よけ具１を取付ける。このようにすると、雨よけ具１は洗濯物2から離れるので、洗濯物2に当って汚すことを防止する。(C)に示すように、取付兼接触防止具6は折れ曲った板状なので、雨を通さない。従って、上方から雨が降り込むことはない。取付兼接触防止具6は、雨よけ具１を支える強度が必要なので、必要な箇所に枠等で補強してもよい。
【００７０】
(B)に示すように、軒下4に取付兼接触防止具6を取付け、その先端部下側に雨よけ具１を取付ける。(D)に示すように、(B)の取付兼接触防止具6は、平板状で雨を通さない。その他は、(A)のものと同じである。
【００７１】
(E)に示すように、軒下4に雨よけ具１を取付け、その内側に接触防止具7を取付ける。雨よけ具１を展開した場合、雨よけ片11等は、接触防止具7の上面を滑って降下する。接触防止具7の上面は、滑らかにしておく。上面に乗った雨よけ片11は、上のものの下端の下側に、下のものの上端が少し入って重なるので、上方からの雨は通らない。接触防止具7の下端には、ガイド(引っ掛かり防止)71を設けているので、雨よけ片11等を格納するときに引っ掛ることはない。(G)に示すように、接触防止具7は、雨よけ片11の長手方向に離して取付けるが、その間隔は雨よけ片11の曲げ強度による。雨よけ片11が乗る部分の長さは、軒先の長短(広狭)に応じて調整しよい。幅は適宜でよい。接触防止具7を用いると、軒先が短い場合でも、雨よけ片11が洗濯物2から離れるので、雨よけ片11が洗濯物に当って、汚すことを防止できる。なお、(E)の接触防止具7は、雨よけ片11が乗る部分を平板状にしてもよい。
【００７２】
又、(E)に示すように、ベランダ等が狭いときには、パラソルハンガー等に掛けた洗濯物2の先端が手すり89よりも外側に出ることがある。重り15につけたフック17を掛ける所に困るので、延長固定具8を手すり89に取付け、輪85にフック17を掛ける。延長固定具8は、(I)に示すように、断面形状をコの字型に折り曲げた取付部81の片側にネジ孔82を設ける。ネジ孔82には取付ネジ83をはめる。取付部81には直角方向に固定部84を付ける。ここに輪85を付ける。輪の代わりにフックを付けてもよい。ネジ孔82を付けた側に固定部84を付けた方が手すり89に取付けたとき、取付ネジ83が外側に出て邪魔にならない。取付ネジ83等により手すり89に取付ける。手すり89がコンクリート等の板状でなく、鉄棒等でできているときには、(J)のような当て具86を鉄棒に当てるとよい。手すり89が鉄棒等製のときは、延長固定具8を横向きにして取付けてもよい。
【００７３】
(F)と(H)とに示す接触防止具7は、斜めの軒下に取付けるもので、雨よけ片11が乗る部分が直線状になったものである。更に、雨よけ片11が乗る部分を長くしたものである。その他は、(E)のものと同じである。軒4が出ている長さは、短いものから長いものまでいろいろある。軒４が十分長ければ、これらの接触防止具は要らない。軒の長さにより、これらの接触防止具の必要長さも変わってくる。必要長さに応じて、何通りかの接触防止具を用意する代わりに、雨よけ片11が乗る部分を長くしたものを１種類用意しておき、軒の長さに応じて、その取付位置を変えれば、１種類でよいことになり、品種増を防ぐ効果がある。なお、(A)、(B)に示す取付兼接触防止具6も板状部が十分長いもの(折れ曲ったものは、どちらが長いものでもよい。)は、これと同様に取付位置を変えることにより、サイズ兼用ができる。  
【００７４】
実施例４の取付兼接触防止具6や接触防止具7は、雨よけ具１を洗濯物2から外側に離し、上方から雨が降り込むのを防止し、雨よけ具１が洗濯物2に当って汚すことを防止する効果がある。接触防止具7のガイド71は、雨よけ具１の格納時に、雨よけ片11や重り15が引っ掛かるのを防止する効果がある。延長固定具8は、ベランダ等が狭いときに、雨よけ具１が洗濯物2に当らないように外側に出したときにも、フックやループ17を掛ける所を作り、確実に固定できるという効果がある。
【実施例５】
【００７５】
実施例５は、軒４の最先端である樋41を取付ける樋金具42に、雨よけ具1を取付ける為の樋取付具に関する。実施例５の樋取付具を図５に基づいて説明する。図5の(A)は樋金具42に雨よけ具1を両端がフック状の吊下げ具9により取付けた状態を示す左側面図、(B)は樋取付具9を示す側面図、(C)は仮結合部94を示す断面図、(D)は樋引掛部91を示す側面図、(E)は樋金具42に樋取付具9を掛け、雨よけ具1取付けた状態を示す側面図、(F)は数個の逆止片93を取付けた補助棒96を示す側面図である。
【００７６】
(A)に示すものは、フックが両端に付いただけの吊下げ具である、非常に単純な樋取付具9である。軒４の高さに応じて、長さの異なる数種を用意した方がよい。又は、ネジ止めなどで長さ調節ができるものにしてもよい。いずれにしても、軒先と雨よけ具1との間から斜めの雨が降り込む問題点はある。長所は、非常に簡単に、軒の最外部に雨よけ具1を取付けでき、コストも安いことである。雨よけ具1の上部から雨が降り込むにしても、雨よけ具1のある所からは雨は進入しない。
【００７７】
(B)のものは、樋取付具9で、樋金具42近くに雨よけ具1を取付けられるもので、取付けも簡単なものである。構成は、U字型に曲げた樋引掛部91の片方を長くして、バネ931により開く力が働く逆止片93と紐通部92とを設ける。この先に仮結合部94を設けて、補助棒96と仮結合する。雨よけ具装着片９５１付きの吊下げリング95を移動可能に補助棒９６に通し、この吊下げリング９５に引上紐９７を付け、この引上紐９７を前記紐通し部９２に通したものである。逆止片93 は、数個付けておくと、取付作業がし易い。引上紐９７と吊下げリング９５との間には、雨よけ具1 等の重量には十分耐え、強く引っ張ると切れる程度の強さのもの、例えば細い糸とか細い針金を簡単に解ける程度にゆるくねじるなどのものを入れておくと、雨よけ具1 を取付け後、引上紐９７を強く引っ張れば、引上紐９７が外れるのでよい。
【００７８】
使い方は、樋金具42に樋引掛部91を掛け、雨よけ具装着片９５１に雨よけ具1を装着し、引上紐９７を下に引くと、雨よけ具1は上に上げられ、逆止片93の最上部にかかると、雨よけ具1は取付けられたので、補助棒96を仮結合部94から外す。
【実施例６】
【００７９】
実施例6の雨よけ具1を図6に基づいて説明する。実施例6は、下屋43等の下に置いた荷物21等に用いる雨よけ具1に関する。図6の(A)は実施例6の使用例を示す斜視図、(B)は(A)の平面図、(C)は実施例6の他の使用例を示す平面図、(D)は実施例6の他の使用例を示す平面図、(E)は別の使用例を示す斜視図、(F)は他の使用例を示す平面図である。
【００８０】
(A)、(B)に示すように、従来技術でカーテンを吊っていた、下屋43の軒先に雨よけ具１を取付ける。雨よけ具1は、実施例1~3のもののどれでもよい。洗濯物用よりも大型化されるので、雨よけ片11は、曲げ強度の強いものがよい。降雨時又は雨が降りそうなときに展開する。雨は防ぎ、風は通す。下屋43の正面の他、(C)のように片方の側面にも取付けてもよい。L字型になる。(D)のように、両方の側面にも取付けてもよい。コの字型になる。雨よけ具１は、長手方向に複数個並べて(つなげて)取付けてもよい。なお、下屋43は、(A)のように母屋44の先につけた屋根をいう。
【００８１】
又、(E)のように、屋根45だけ設けたところに、軒先に雨よけ具１を取付けてもよい。(F)は、(E)の屋根45だけのところの１方だけに雨よけ具１を取付けたものである。(ア)、(イ)、(ウ)、(エ)は、方向を表す。(ア)方向の他に(イ)方向等他の１方向にも(計2方向)取付けてよいし、(ア)(イ)(ウ)の３方向や４方向全部に取付けてもよい。工事現場の資材置場や準備作業場等に利用できる。風向に応じて、雨よけ具１を展開・格納すればよい。
【００８２】
実施例6の雨よけ具１は、下屋43等上方に雨を遮るものがあり、側方は開放状態である所に置かれた(広い場所の)荷物21や工事現場の資材等を雨から守り、風は通すので、商品、荷物、資材置場等に有用で、準備作業場等に適し、格納・展開が簡単という効果がある。
【産業上の利用可能性】
【００８３】
雨よけ具は、軒下に干した洗濯物、下屋の下に置いた荷物等斜めの雨が降り込んでは困り、風は通したいところに適用できる。
【図面の簡単な説明】
【００８４】
【図１】実施例１の雨よけ具を示す斜視図、左側面図、部分斜視図及び正面図である。
【図２】実施例2の雨よけ具を示す左側面図、要部左側面図、平面図及び正面図である。
【図３】実施例3の雨よけ具を示す左側面図、要部左側面図及び正面図である。
【図４】実施例4の関連用具を示す左側面図及び斜視図である。
【図５】実施例5の関連用具を示す左側面図、側面図及び断面図である。
【図６】実施例6の雨よけ具を示す斜視図及び平面図である。
【図７】従来技術を示す斜視図及び正面図である。
【符号の説明】
【００８５】
1    雨よけ具
雨よけ片
11a   透明シート
11b   カーテン
11c  通風穴
11d  通風弁
11e  雨よけ部材
11f  主カーテン
11g  副カーテン
111  吊紐孔
112  昇降紐孔
基板
12a  リング
12b  主桟
121  調整紐孔
122  昇降紐孔
13    吊紐
131  保持紐
14  昇降紐
15  板状の重り
16  保持片
161  輪
バネ
引張棒
164  連動紐
165  支点棒
17  フック/ループ
18  傾斜調整紐
181  コブ
洗濯物
21  荷物
物干竿
軒
41  樋
42  樋金具
43  下屋
母屋
屋根
雨
接触防止具
雨よけ部
軒下取付部
雨よけ具取付部
7  接触防止具
雨よけ片乗せ部
取付部
ガイド
8  延長固定具
81  輪
82  取付ネジ
83  当て具
84  固定部
手すり
89a  ベランダ外壁
樋取付具
樋引掛部
911  脱落防止片
バネ
紐通部
逆止片
バネ
仮結合部
吊下げリング
951  雨よけ具装着片
補助棒
引上紐
【図１】
2005253552.tif 000003
【図２】
2005253552.tif 000004
【図３】
2005253552.tif 000005
【図４】
2005253552.tif 000006
【図５】
2005253552.tif 000007
【図６】
2005253552.tif 000008
【図７】
2005253552.tif 000009